Podtech/llm-jp-corpus-v4-ja_patent huggingface dataset:
【手続補正書】
【提出日】平成17年10月4日(2005.10.4)
【手続補正１】
【補正対象書類名】特許請求の範囲
【補正対象項目名】全文
【補正方法】変更
【補正の内容】
【特許請求の範囲】
【請求項１】
書換え可能な記憶媒体において、反復フィールドを有する選択されたビデオ・セグメントの再生速度を変更する方法であって、
前記反復フィールドを有する前記選択されたビデオ・セグメントを選択するステップと、
前記反復フィールドを除去することにより、前記選択されたビデオ・セグメントを変更してファスト・モーション再生を達成するステップと、
を含む、前記ビデオ・セグメントの再生速度を変更する方法。
【請求項２】
前記反復フィールドを除去してファスト・モーション再生を達成する前記ステップが、ピクチャ・ヘッダ中にある反復第１フィールド・フラグを０にセットするステップを含む、請求項１に記載のビデオ・セグメントの再生速度を変更する方法。
【請求項３】
前記選択されたビデオ・セグメントからピクチャを除去して、所定の再生速度を達成するステップを含む、請求項１に記載のビデオ・セグメントの再生速度を変更する方法。
【請求項４】
前記選択されたビデオ・セグメントを変更した後で、前記選択されたビデオ・セグメントを所定のＧＯＰ構造に再符号化するステップを含む、請求項１に記載のビデオ・セグメントの再生速度を変更する方法。
【請求項５】
前記変更したビデオ・セグメントを、前記記憶媒体の所定の部分だけに記録するステップを含む、請求項１に記載のビデオ・セグメントの再生速度を変更する方法。
【請求項６】
書換え可能な記憶媒体において、選択されたビデオ・セグメントの再生速度を変更する方法であって、
反復フィールドを有する前記選択されたビデオ・セグメントを選択するステップと、
前記反復フィールドを通常フィールド・ピクチャに符号化するステップと、
を含む、前記ビデオ・セグメントの再生速度を変更する方法。
【請求項７】
ピクチャ・ヘッダ中にある反復第１フィールド・フラグを０にセットするステップを含む、請求項６に記載のビデオ・セグメントの再生速度を変更する方法。
【請求項８】
前記選択されたビデオ・セグメントにダミー・ピクチャを追加して、所定の再生速度を達成するステップを含む、請求項６に記載のビデオ・セグメントの再生速度を変更する方法。
【請求項９】
前記選択されたビデオ・セグメントを変更した後で、前記選択されたビデオ・セグメントを所定のＧＯＰ構造に再符号化するステップを含む、請求項６に記載のビデオ・セグメントの再生速度を変更する方法。
【請求項１０】
前記変更したビデオ・セグメントを前記記憶媒体の所定の部分だけに記録するステップを含む、請求項６に記載の方ビデオ・セグメントの再生速度を変更する法。
【請求項１１】
書換え可能な記憶媒体において、反復フィールドを有する選択されたビデオ・セグメントを変更する方法であって、
前記反復フィールドをダミー・ピクチャで置き換えるステップと、
ピクチャ・ヘッダ中にある反復第１フィールド・フラグを０にセットするステップと、
を含む、前記ビデオ・セグメントを変更する方法。
【請求項１２】
前記選択されたビデオ・セグメントにダミー・ピクチャを追加して、所定の再生速度を達成するステップを含む、請求項１１に記載のビデオ・セグメントを変更する方法。
【請求項１３】
前記選択されたビデオ・セグメントを変更した後で、前記選択されたビデオ・セグメントを所定のＧＯＰ構造に再符号化するステップを含む、請求項１１に記載のビデオ・セグメントを変更する方法。
【請求項１４】
前記変更したビデオ・セグメントを前記記憶媒体の所定の部分だけに記録するステップを含む、請求項１１に記載のビデオ・セグメントを変更する方法。
【請求項１５】
反復フィールドを有する選択されたビデオ・セグメントの再生速度を変更するシステムであって、
書換え可能な記憶媒体の一部に記録されたビデオ・セグメントを、選択的に読み取るための記憶媒体読取り回路と、
再生速度変更のために、前記選択されたビデオ・セグメントを変更するためのビデオ処理回路と、
前記変更されたビデオ・セグメントを前記記憶媒体の一部だけに記録するためのビデオ・レコーダ回路と、
を備える、前記ビデオ・セグメントの再生速度を変更するシステム。
【請求項１６】
前記ビデオ処理回路が、前記反復フィールドを除去することにより、前記選択されたビデオ・セグメントを変更してファスト・モーション再生を達成する、請求項１５に記載のビデオ・セグメントの再生速度を変更するシステム。
【請求項１７】
前記ビデオ処理回路が、前記反復フィールドを通常フィールド・ピクチャに符号化することにより、前記選択されたビデオ・セグメントを変更する、請求項１５に記載のビデオ・セグメントの再生速度を変更するシステム。
【請求項１８】
前記ビデオ処理回路が、前記選択されたビデオ・セグメントを変更した後で、ビデオ・ヘッダ中にある反復第１フィールド・フラグを０にセットすることにより、前記選択されたビデオ・セグメントを変更する、請求項１５に記載のビデオ・セグメントの再生速度を変更するシステム。
【請求項１９】
前記ビデオ処理回路が、前記選択されたビデオ・セグメント中の複数の非ビデオ・パックを削除して、前記変更したビデオ・セグメントに含まれるデータの量を削減する、請求項１５に記載のビデオ・セグメントの再生速度を変更するシステム。
【請求項２０】
前記ビデオ処理回路が、前記変更したビデオ・セグメントに含まれる少なくとも１つのフレームの解像度を低下する、請求項１５に記載のビデオ・セグメントの再生速度を変更するシステム。
【請求項２１】
前記ビデオ処理回路が、記録するステップの間に、前記変更したビデオ・セグメントのビット・レートを低減する、請求項１５に記載のビデオ・セグメントの再生速度を変更するシステム。
【請求項２２】
前記ビデオ処理回路が、前記選択されたビデオ・セグメントに少なくとも１つのダミー・ピクチャを挿入する、請求項１５に記載のビデオ・セグメントの再生速度を変更するシステム。
【請求項２３】
前記ビデオ処理回路が、前記選択されたビデオ・セグメントから少なくとも１つのピクチャを削除する、請求項１５に記載のビデオ・セグメントの再生速度を変更するシステム。
【手続補正２】
【補正対象書類名】明細書
【補正対象項目名】発明の名称
【補正方法】変更
【補正の内容】
【発明の名称】ビデオ・セグメントの再生速度を変更する方法およびシステム並びにビデオ・セグメントを変更する方法
【手続補正書】
【提出日】平成17年10月3日(2005.10.3)
【手続補正１】
【補正対象書類名】特許請求の範囲
【補正対象項目名】全文
【補正方法】変更
【補正の内容】
【特許請求の範囲】
【請求項１】
(i)一つまたは複数の自己集合性生物学的分子または粒子、および(ii)異なる組成または面を有する標的結晶表面構造に選択的である一つまたは複数の合成生体分子選択的結合構造を含む、組成物であって、フィルム形態または繊維形態の組成物。
【請求項２】
フィルム形態である、請求項1記載の組成物。
【請求項３】
結合構造が、自己集合性生物学的分子または粒子の一部である、請求項1記載の組成物。
【請求項４】
構造が、ナノ結晶をさらに核生成して結合させることができ、かつ構造がナノ結晶に結合している、請求項1記載の組成物。
【請求項５】
構造が一つまたは複数のペプチド結合配列を含む、請求項1記載の組成物。
【請求項６】
構造がウイルスの一部である、請求項1記載の組成物。
【請求項７】
標的結晶が単結晶である、請求項1記載の組成物。
【請求項８】
標的結晶が無機結晶である、請求項1記載の組成物。
【請求項９】
標的結晶が半導体結晶である、請求項1記載の組成物。
【請求項１０】
(i)異なる組成または面を有する標的単結晶表面構造に選択的である一つまたは複数の合成ペプチド選択的結合構造をさらに含む、一つまたは複数の自己集合性生物学的分子または粒子、および(ii)標的組成物を含む無機相を含む、組成物であって、フィルム形態または繊維形態の組成物。
【請求項１１】
組成物がフィルム形態である、請求項10記載の組成物。
【請求項１２】
異なる組成または面を有する標的結晶構造に選択的である合成生体分子選択的結合構造を含む一つまたは複数のウイルスを含む組成物であって、フィルム形態または繊維形態でありかつ無機相をさらに含む、組成物。
【請求項１３】
異なる組成または面を有する標的結晶表面構造に選択的でありかつ標的結晶組成物のナノ結晶を選択的に核生成することができる一つまたは複数の合成生体分子選択的結合構造を含む一つまたは複数の自己集合性生物学的分子または粒子を含む組成物であって、フィルム形態または繊維形態の組成物。
【請求項１４】
結合構造においてナノ結晶を選択的に核生成することができる一つまたは複数の合成生体分子選択的結合構造を含む一つまたは複数の自己集合性生物学的分子または粒子を含む組成物であって、フィルム形態または繊維形態の組成物。
【請求項１５】
一つまたは複数の液晶生体分子または粒子および、異なる組成または面を有する標的結晶表面構造に選択的である一つまたは複数の合成生体分子選択的結合構造を含む組成物であって、液晶形態の組成物。
【請求項１６】
(i)異なる組成または表面を有する標的結晶表面構造に選択的である一つまたは複数の合成生体分子選択的結合構造および(ii)無機相を含む組成物であって、乾燥した形態の組成物。
【請求項１７】
(i)(a)一つまたは複数の自己集合性生物学的分子または粒子および、(b)異なる組成または面を有する標的結晶表面構造に選択的である一つまたは複数の合成生体分子選択的結合構造を含む組成物を調製する段階；ならびに
(ii)組成物からフィルムまたは繊維を製造する段階
を含む、フィルムまたは繊維を形成する方法。
【請求項１８】
(i)(a)一つまたは複数の自己集合性生物学的分子または粒子、(b)異なる組成または面を有する標的結晶表面構造に選択的である一つまたは複数の合成生体分子選択的結合構造、および(c)一つまたは複数のナノ粒子を含む、組成物を調製する段階；ならびに
(ii)組成物からフィルムまたは繊維を製造する段階であって、ナノ粒子がフィルム状または繊維状の層を産生する段階
を含む、フィルムまたは繊維を製造する方法。
【請求項１９】
請求項17記載の方法によって調製される、フィルムまたは繊維の組成物。
【請求項２０】
光電子デバイス、ディスプレイ、光放射ディスプレイ、検出器、光学的検出器、レーザー、高速インターコネクト、ナノメートルスケールのコンピューター部材、ワクチン、アジュバント、ワクチン容器、記憶装置、高密度記憶装置、オプティカル・コーティング、オプティカル・スイッチ、液晶ディスプレイ、医療用インプラント、骨インプラント、医療用インプラントのための足場、骨インプラントのための足場、センサー、高密度センサー、生物学的センサー、小分子用センサ、生物毒センサ、量子計算素子、電気インタフェース、磁気インタフェース、医療用途のための再構成可能なウイルス、量子ドット・パターンに基づく情報保存、敵味方の同定、織物の同定、防護服の織物におけるもしくは暗号化の同定、または、金銭の暗号化および同定における、請求項1記載の組成物の使用。
【誤訳訂正書】
【提出日】平成18年1月27日(2006.1.27)
【誤訳訂正１】
【訂正対象書類名】特許請求の範囲
【訂正対象項目名】請求項２１
【訂正方法】変更
【訂正の内容】
【請求項２１】
天然形態のP2X3 mRNAの1つ以上の接近可能領域内に特異的にハイブリダイズする転写体をコードする核酸に機能し得る形で連結された調節エレメントを含む核酸構築物。
【誤訳訂正２】
【訂正対象書類名】特許請求の範囲
【訂正対象項目名】請求項２３
【訂正方法】変更
【訂正の内容】
【請求項２３】
配列番号2のヌクレオチド1279〜1296又は1315〜1334により定義される領域ではない天然形態のP2X3mRNAの接近可能領域内に特異的にハイブリダイズし、かつP2X3の産生を阻害する、単離されたアンチセンスオリゴヌクレオチド。
【誤訳訂正３】
【訂正対象書類名】明細書
【訂正対象項目名】００１２
【訂正方法】変更
【訂正の内容】
【００１２】
本発明はまた、天然形態のP2X3 mRNAの1つ以上の接近可能領域内に特異的にハイブリダイズする転写体をコードする核酸に機能し得る形で連結された調節エレメントを含む核酸構築物、及びそのような核酸構築物を含む宿主細胞を特徴とする。
【誤訳訂正４】
【訂正対象書類名】明細書
【訂正対象項目名】００１３
【訂正方法】変更
【訂正の内容】
【００１３】
さらに別の態様において、本発明は天然形態のP2X3mRNAの接近可能領域内に特異的にハイブリダイズする単離されたアンチセンスオリゴヌクレオチドを特徴とするが、ただし、該接近可能領域は配列番号2のヌクレオチド1279〜1296又は1315〜1334により定義される領域ではなく、また、該アンチセンスオリゴヌクレオチドはP2X3の産生を阻害する。
【誤訳訂正５】
【訂正対象書類名】明細書
【訂正対象項目名】００７５
【訂正方法】変更
【訂正の内容】
【００７５】
機械的痛覚試験：機械的感受性に関する基線、損傷後、及び治療後の値を、アップダウン法(Chaplanら、(1994) J. Neurosci. Methods 53:55-63)に従って、補正されたモノフィラメント(von Freyフィラメント)を用いて評価した。動物を金網カゴに入れ、最小10分間周囲の環境に順応させた後、試験した。次第に力を増しながらフィラメントを、足の足底表面のちょうど湾曲している点に連続的に押し当て3秒間保持した。 (刺激が十分な力の刺激である場合に達成される) 刺激の行動終点は、動物が足を舐める、引っ込める、及び／又は振る点であった。足の引っ込みを起こさせるのに必要な力又は圧力を、各後足への有害な機械的刺激に対する閾値の尺度として記録した。各治療群の各動物における各後足について、平均及び平均の標準誤差(SEM)を決定した。ANOVA、次いでBonferonni post-hoc試験の反復測定値を用いて有意差を決定した。この刺激は通常痛いとは考えられずラットは通常選択された範囲内でフィラメントに反応しないので、この試験における損傷誘導による反応性の有意な増加は機械的異痛(allodynia)の尺度として解釈された。
【誤訳訂正６】
【訂正対象書類名】明細書
【訂正対象項目名】００７６
【訂正方法】変更
【訂正の内容】
【００７６】
温度痛覚試験：基線、損傷後、及び治療後の温度感受性を、後足の足底表面に送達した放射熱刺激に応答した引っ込み潜伏期を測定することにより決定した(Hargreavesら、(1988), Pain 32:77-88)。動物をプレキシガラスのカゴに入れ、最小10分間順応させた。放射熱源を足底表面に向け、引っ込みまでの時間を測定した。各足について、引っ込み潜伏期を、5分以上により分けられた3つの測定値を平均することにより決定した。加熱装置を、反応しない動物の皮膚に対する損傷を回避するために、プログラムされた時間の後自動的に切れるように設定した。ANOVA及びその後のBonferonni post-hoc試験の反復測定値を用いてデータを分析した。損傷誘導による温度応答潜伏期の有意な増加は、刺激は通常、有害な範囲にあるため、温度痛覚過敏の尺度であると考えられた。
【誤訳訂正７】
【訂正対象書類名】図面
【訂正対象項目名】図３
【訂正方法】変更
【訂正の内容】
【図３】
2005508182.tif 000001
【誤訳訂正８】
【訂正対象書類名】図面
【訂正対象項目名】図４
【訂正方法】変更
【訂正の内容】
【図４】
2005508182.tif 000002
【誤訳訂正９】
【訂正対象書類名】図面
【訂正対象項目名】図５
【訂正方法】変更
【訂正の内容】
【図５】
2005508182.tif 000003
【手続補正書】
【提出日】平成17年8月12日(2005.8.12)
【手続補正１】
【補正対象書類名】特許請求の範囲
【補正対象項目名】全文
【補正方法】変更
【補正の内容】
【特許請求の範囲】
【請求項１】
融合（Ｆ）遺伝子および少なくとも一部の赤血球凝集素ノイラミニダーゼ（ＨＮ）遺伝子をコードする配列番号１のＤＮＡヌクレオチド配列を含むニューカッスル病ウイルス（ＮＤＶ）の純系の長期潜伏性腫瘍崩壊性菌株。
【請求項２】
活性成分としてＮＤＶの長期潜伏性腫瘍崩壊性菌株を含む癌治療用の医薬品組成物。
【請求項３】
適した担体を更に含む請求項２記載の医薬品組成物。
【請求項４】
ＮＤＶの長期潜伏性菌株がＨＵＪである請求項２記載の医薬品組成物。
【請求項５】
単位用量あたり１０6−１０12ＥＩＤ50を含む請求項４記載の医薬品組成物。
【請求項６】
腫瘍崩壊性活性を有する少なくとも１つの単離されたウイルスの糖蛋白を更に含む請求項２〜４のいずれか一項に記載の医薬品組成物。
【請求項７】
少なくとも１つのウイルスの糖蛋白がＮＤＶ由来である請求項６記載の医薬品組成物。
【請求項８】
少なくとも１つのウイルスの糖蛋白がＮＤＶのＦ糖蛋白である請求項７記載の医薬品組成物。
【請求項９】
少なくとも１つのウイルスの糖蛋白がＮＤＶのＨＮ糖蛋白である請求項７記載の医薬品組成物。
【請求項１０】
ＮＤＶのＦ糖蛋白およびＨＮ糖蛋白を更に含む請求項７記載の医薬品組成物。
【請求項１１】
ウイルスの糖蛋白がＮＤＶの短期潜伏感染性菌株由来である請求項７記載の医薬品組成物。
【請求項１２】
ウイルスの糖蛋白がＮＤＶの中期潜伏感染性菌株由来である請求項７記載の医薬品組成物。
【請求項１３】
ウイルスの糖蛋白がＮＤＶの長期潜伏感染性菌株由来である請求項７記載の医薬品組成物。
【請求項１４】
ＮＤＶの長期潜伏感染性菌株がＨＵＪ菌株である請求項１３記載の医薬品組成物。
【請求項１５】
腫瘍崩壊性活性を有する少なくとも１つの単離されたウイルスの糖蛋白またはそのサブユニットまたは類似体および適した担体を含む癌治療用の組成物。
【請求項１６】
少なくとも１つのウイルスの糖蛋白がＮＤＶ由来である請求項１５記載の組成物。
【請求項１７】
少なくとも１つのウイルスの糖蛋白がＮＤＶのＦ糖蛋白である請求項１６記載の組成物。
【請求項１８】
少なくとも１つのウイルスの糖蛋白がＮＤＶのＨＮ糖蛋白である請求項１６記載の組成物。
【請求項１９】
ＮＤＶのＦ糖蛋白およびＨＮ糖蛋白を更に含む請求項１５記載の組成物。
【請求項２０】
ウイルスの糖蛋白がＮＤＶの短期潜伏感染性菌株由来である請求項１６記載の組成物。
【請求項２１】
ウイルスの糖蛋白がＮＤＶの中期潜伏感染性菌株由来である請求項１６記載の組成物。
【請求項２２】
ウイルスの糖蛋白がＮＤＶの長期潜伏感染性菌株由来である請求項１６記載の組成物。
【請求項２３】
ＮＤＶの長期潜伏性菌株がＨＵＪである請求項２２記載の組成物。
【請求項２４】
請求項２〜２３のいずれか一項に記載の医薬品組成物の治療有効量を患者に投与することを含む患者の癌の治療法。
【請求項２５】
投与の段階が静脈内、経口、バッカル、鼻腔内、吸入、粘膜への局所投与または皮内、髄腔内、槽内および病変内注入を含む注入から選ばれる請求項２４記載の方法。
【請求項２６】
投与の段階が、腫瘍またはその近くに該組成物を局所投与することを含む請求項２４記載の方法。
【請求項２７】
組成物がＮＤＶの長期潜伏感染性腫瘍崩壊性菌株を含む請求項２４記載の方法。
【請求項２８】
ＮＤＶの長期潜伏感染性腫瘍崩壊性菌株がＨＵＪ菌株である請求項２７記載の方法。
【請求項２９】
投与の段階がＮＤＶのＨＵＪ菌株を２０  ＥＩＤ50／細胞から２０００  ＥＩＤ50／細胞の範囲で投与することを含む請求項２８記載の方法。
【請求項３０】
投与の段階がＮＤＶを腫瘍またはその近くに局所的に投与することを含む請求項２８記載の方法。
【請求項３１】
癌治療用組成物の調製におけるＮＤＶの長期潜伏感染性腫瘍崩壊性菌株の使用。
【請求項３２】
ＮＤＶの長期潜伏感染性腫瘍崩壊性菌株がＨＵＪ菌株である請求項３１記載の使用。
【請求項３３】
癌治療用の組成物の調製における、腫瘍崩壊性活性を有する単離されたウイルスの糖蛋白またはそのサブユニットまたは類似体の使用。
【請求項３４】
ウイルスの糖蛋白がＮＤＶ由来である請求項３３記載の使用。
【請求項３５】
ウイルスの糖蛋白がＮＤＶのＦ糖蛋白である請求項３４記載の使用。
【請求項３６】
ウイルスの糖蛋白がＮＤＶのＨＮ糖蛋白である請求項３４記載の使用。
【請求項３７】
ウイルスの糖蛋白がＮＤＶのＦ糖蛋白およびＮＤＶのＨＮ糖蛋白の組み合わせである請求項３４記載の使用。
【請求項３８】
ＮＤＶ糖蛋白がＮＤＶの短期潜伏感染性菌株由来である請求項３４〜３７のいずれか一項に記載の使用。
【請求項３９】
ＮＤＶ糖蛋白がＮＤＶの中期潜伏感染性菌株由来である請求項３４〜３７のいずれか一項に記載の使用。
【請求項４０】
ＮＤＶ糖蛋白がＮＤＶの長期潜伏感染性菌株由来である請求項３４〜３７のいずれか一項に記載の使用。
【請求項４１】
ＮＤＶ糖蛋白が配列番号２を有する少なくとも１つの腫瘍崩壊性蛋白を含む請求項４０記載の使用。
【請求項４２】
ＮＤＶの長期潜伏感染性菌株がＨＵＪ菌株である請求項４０記載の使用。
【請求項４３】
患者に、腫瘍崩壊性活性を有する少なくとも１つのウイルスのポリペプチドまたはその類似体またはサブユニットをコードする少なくとも１つの単離されたポリヌクレオチドを投与することを含む、患者の癌の治療法。
【請求項４４】
患者に、腫瘍崩壊性活性を有する少なくとも１つのウイルスのポリペプチドまたはその類似体またはサブユニットをコードする単離されたポリヌクレオチドを含む少なくとも１つのベクターを投与することを含む請求項４２記載の患者の癌の治療法。
【請求項４５】
ベクターがウイルスのベクターである請求項４４記載の方法。
【請求項４６】
患者にＮＤＶのＦ糖蛋白をコードする少なくとも１つの単離されたポリヌクレオチドを投与することを含む請求項４３記載の患者の癌の治療法。
【請求項４７】
患者にＮＤＶのＨＮ糖蛋白をコードする少なくとも１つのポリヌクレオチドを投与することを含む請求項４３記載の患者の癌の治療法。
【請求項４８】
患者にＮＤＶのＦ糖蛋白およびＨＮ糖蛋白をコードするポリヌクレオチドの組み合わせを投与することを含む請求項４３記載の患者の癌の治療法。
【請求項４９】
その必要がある患者の癌の治療用組成物を製造するための、単離されたポリヌクレオチドでトランスフェクトされた宿主細胞の使用であって、単離されたポリヌクレオチドは、腫瘍崩壊性活性を有する少なくとも１つのウイルスのポリペプチド、その類似体またはサブユニットをコードし、少なくとも１つのウイルスのポリペプチドまたはその類似体またはサブユニットが宿主細胞で発現される、使用。
【請求項５０】
その必要がある患者の癌の治療用組成物を製造するための、ベクターでトランスフェクトされた宿主細胞の使用であって、ベクターは、腫瘍崩壊性活性を有する少なくとも１つのウイルスのポリペプチドまたはその類似体またはサブユニットをコードする単離されたポリヌクレオチドを含み、少なくとも１つのウイルスのポリペプチドまたはその類似体またはサブユニットが宿主細胞で発現される、使用。
【手続補正書】
【提出日】平成17年9月16日(2005.9.16)
【手続補正１】
【補正対象書類名】特許請求の範囲
【補正対象項目名】全文
【補正方法】変更
【補正の内容】
【特許請求の範囲】
【請求項１】
心血管障害を処置し得る化合物を同定するための方法であって、以下：
ａ）試験化合物をサンプルと接触させる工程であって、該サンプルが、以下：
ｉ）配列番号２のアミノ酸配列に対して少なくとも９５％同一であるアミノ酸配列を含むポリペプチドであって、該ポリペプチドがチロシンホスファターゼ活性を有する、ポリペプチド；および
ｉｉ）配列番号１または配列番号３のヌクレオチド配列に少なくとも９５％同一であるヌクレオチド配列を含む核酸分子によってコードされるポリペプチドであって、該ポリペプチドがチロシンホスファターゼ活性を有する、ポリペプチド、
からなる群より選択されるポリペプチドを含む、工程；
ｂ）該ポリペプチドの活性に対する該化合物の効果を決定する、工程；ならびに
ｃ）該ポリペプチドの活性を調節し得る化合物を選択する、工程
を包含し、これによって、心血管障害を処置し得る化合物を同定する、方法。
【請求項２】
前記サンプルが、前記ポリペプチドまたは該ポリペプチドを発現する細胞を含む、請求項１に記載の方法。
【請求項３】
前記細胞が心臓細胞である、請求項２に記載の方法。
【請求項４】
前記化合物が、低分子、ペプチド、または抗体である、請求項１に記載の方法。
【請求項５】
前記活性が、チロシンホスファターゼ活性である、請求項１に記載の方法。
【請求項６】
心血管障害を処置し得る化合物を同定するための方法であって、以下：
ａ）試験化合物をサンプルと接触させる工程であって、該サンプルが、以下：
ｉ）配列番号１または配列番号３のヌクレオチド配列を含む核酸分子によってコードされるポリペプチド；および
ｉｉ）配列番号２のアミノ酸配列を含むポリペプチド、
からなる群より選択されるポリペプチドを含む、工程；
ｂ）該ポリペプチドの活性に対する該化合物の効果を決定する、工程；ならびに
ｃ）該ポリペプチドの活性を調節し得る化合物を選択する、工程
を包含し、これによって、心血管障害を処置し得る化合物を同定する、方法。
【請求項７】
前記サンプルが、前記ポリペプチドまたは該ポリペプチドを発現する細胞を含む、請求項６に記載の方法。
【請求項８】
前記細胞が心臓細胞である、請求項７に記載の方法。
【請求項９】
前記化合物が、低分子、ペプチド、または抗体である、請求項６に記載の方法。
【請求項１０】
前記活性が、チロシンホスファターゼ活性である、請求項６に記載の方法。
【請求項１１】
心血管障害を有するかまたは心血管障害を発症する危険がある被験体を同定するための薬学的組成物であって、配列番号１または配列番号３の少なくとも２５個連続するヌクレオチドを含むハイブリダイゼーションプローブを含む、薬学的組成物。
【請求項１２】
心血管障害を有するかまたは心血管障害を発症する危険がある被験体を同定するためのキットであって、第１増幅プライマーおよび第２増幅プライマーを含み、該第１プライマーが、配列番号１または配列番号３の少なくとも２５個連続するヌクレオチドを含み、そして該第２プライマーが、配列番号１または配列番号３の補体由来の少なくとも２５個連続するヌクレオチドを含む、キット。
【請求項１３】
心血管障害を有するかまたは心血管障害を発症する危険がある被験体を同定するためのキットであって、以下：
ｉ）配列番号１または配列番号３のヌクレオチド配列を含む核酸分子によってコードされるポリペプチド；および
ｉｉ）配列番号２のアミノ酸配列を含むポリペプチド、
からなる群より選択されるポリペプチド；ならびに
該ポリペプチドに選択的に結合し得る、抗体、
を備える、キット。
【請求項１４】
請求項１または６において同定される化合物を被験体に投与することを含む、心血管障害を有する該被験体の処置のための薬学的組成物。
【手続補正書】
【提出日】平成17年8月5日(2005.8.5)
【手続補正１】
【補正対象書類名】明細書
【補正対象項目名】特許請求の範囲
【補正方法】変更
【補正の内容】
【特許請求の範囲】
【請求項１】  水槽中の温水または冷水観賞魚の給餌のための凍結飼料の代替品として使用可能であり、水分含有率２０〜９９重量％で、ゲル形成体０．００１〜５０重量％、天然飼料０．１〜９０重量％を含む、淡水および海水の、水棲動物、特に魚類、エビ類および無脊椎動物類用のゲル様飼料。
【請求項２】  水分含有率が５０〜９９重量％で、ゲル形成体０．１〜１０重量％、天然飼料１〜２０重量％を含む請求項１記載のゲル様飼料。
【請求項３】  ゲル形成体として、アルキル鎖に１〜４個の炭素原子を有するアルキル−および／またはヒドロキシアルキル−置換セルロースエーテル、多糖類、植物ゴム、またはコラーゲンまたはそれらの相乗作用的ミクスチャが用いられていることを特徴とする、請求項１または２記載のゲル様飼料。
【請求項４】  セルロースエーテルが、メチルセルロース、ヒドロキシエチルセルロース、ヒドロキシプロピルセルロース、ヒドロキシエチルメチルセルロース、ヒドロキシエチルエチルセルロースまたはヒドロキシプロピルメチルセルロースの群から選択される、請求項３記載のゲル様飼料。
【請求項５】  ゲル形成体がペクチン類、アルギン酸塩類、カラゲーニン、寒天、グアールゴム、アラビアゴム、トラガカントゴム、カラヤゴム、ガッティゴム（ghatti gum）、イナゴマメ粉末、アラビアン（arabian）、ゲラン（gellan）、コンジャクマンナン（konjacmannan）、ガラクトマンナン（galactomannan）、フノラン（funoran）、サゴ（sago）、タラゴム（tara gum）、キサンタン（xanthans）、アセタン（acetan）、ウエラン（welan）、ラムサン（rhamsan）、フルセレラン（furcelleran）、スクシノグリカン（succinoglycan）、スクレログリカン（scleroglycan）、スキゾフィラン（schizophyllan）、タマリンドゴム、クルドラン（curdlan）、プルラン（pullulan）、デキストランまたはゼラチンの群から選択される、請求項３記載のゲル様飼料。
【請求項６】  柔軟剤または湿度保持剤を含む、請求項１乃至３のいずれか１項記載のゲル様飼料。
【請求項７】  グリセロールが柔軟剤として用いられる、請求項６記載のゲル様飼料。
【請求項８】  保存料を含有する、請求項１乃至３のいずれか１項記載のゲル様飼料。
【請求項９】  保存料として、エトキシクイン（ethoxyquin）、ＢＨＴ、プロピオン酸カルシウム、ソルビン酸カリウム、クエン酸、乳酸または塩（料理用または海塩）が用いれらている請求項８記載のゲル様飼料。
【請求項１０】  動物まるごとおよび／またはその一部分の形での天然飼料が、ホウネンエビ（Artemia）；オキアミ；ミジンコ（Daphnia）；ヨコエビ（Gammarus）；イトミミズ類（Tubifex）；赤ユスリカの幼虫（Chironomus）；白ユスリカの幼虫（Chaoborus）；黒ユスリカの幼虫（Culex）；動物プランクトン（Cyclops）；ボスミナ（Bosmina）；ミシス（Mysis）;エビ類；うじ類；コナムシ類；魚卵；カニの卵；イガイ肉；魚肉；イカおよび／または仔牛の心臓、の単体、または組み合わせにおける、天然飼料の種類から選択される、請求項１乃至９のいずれか１項記載のゲル様飼料。
【請求項１１】  付加的な天然生材料を含む、請求項１０記載のゲル様飼料。
【請求項１２】  付加的なビタミン、ミネラル、芳香剤、誘引剤、着色料および／またはカロチノイドを含むことを特徴とする、請求項１０または１１記載のゲル様飼料。
【請求項１３】  １種以上の天然型の飼料および／または市場で入手し得る飼料ミクスチャ、すなわち生材料を１種以上のゲル形成体ならびにできるだけ通常のビタミン、ミネラル、着色料、芳香剤、誘引剤および保存料と、大量の水を加えて、上昇された温度（反応温度）においてエクストルーダー中で混合し、続いて冷却しながらミクスチャをエクストルーダーによって円筒の棒状、顆粒状、キューブ状、板状、フレーク状またはタブレット状に成形し、瓶、缶、ブリスターパック、またはそのようなものに詰めるか、またはエクストルーダーの後に直接梱包して、続いて冷却することを特徴とする、請求項１乃至１２のいずれか１項記載のゲル様飼料の製造方法。
【請求項１４】  １種以上の天然飼料および／または市場で入手し得る飼料ミクスチャ、すなわち生材料を１種以上のゲル形成体ならびにできるだけ通常のビタミン、ミネラル、着色料、芳香剤、誘引剤および保存料と、大量の水を加えて、上昇された温度において攪拌機およびホモジナイズ装置によって混合し、続いて冷却しながらミクスチャを円筒の棒状、顆粒状、キューブ状、板状、フレーク状またはタブレット状に成形し、瓶、缶、ブリスターパック、またはそのようなものに詰めるか、または直接梱包して、続いて冷却することを特徴とする、請求項１乃至１２のいずれか１項記載のゲル様飼料の製造方法。
【手続補正書】
【提出日】平成17年8月19日(2005.8.19)
【手続補正１】
【補正対象書類名】明細書
【補正対象項目名】特許請求の範囲
【補正方法】変更
【補正の内容】
【特許請求の範囲】
【請求項１】  ベークされたフルオロポリマーレリース被覆をその上に有する支持体であって、前記被覆が磁化可能な薄片を含有し、前記薄片の一部が前記支持体の平面内で配向し、前記薄片の一部が磁気的に再配向して前記被覆内に反射光で観察可能なパターンを形成し、前記薄片が前記被覆の厚さよりも長い最長寸法を有することを特徴とする支持体。
【請求項２】  磁化できない支持体上に、パターン形成されたレリース被覆を形成する方法であって、
（ａ）磁化可能な薄片をフルオロポリマーの液体分散液に混ぜた混合物を、前記支持体上に塗布して、その上に被覆を形成する工程、
（ｂ）前記支持体から間隔をおいた位置に拡散磁界を作り出す工程、
（ｃ）前記拡散磁界からの磁力を、磁化可能なダイのパターンを通して依然として液状の前記被覆に伝えて、前記ダイのパターンに対応する前記被覆内に前記薄片のパターンを形成する工程、および
（ｄ）前記被覆をベーキングして、そこに薄片の前記パターンを付ける工程
を含むことを特徴とする方法。
【請求項３】  ベークされたフルオロポリマーレリース被覆をその上に有する支持体であって、前記被覆が磁化可能な薄片を含有し、前記薄片の一部が前記支持体の平面内で配向し、前記薄片の一部が磁気的に再配向して、反射光で観察可能なパターンを前記被覆内に形成し、前記被覆が、平均表面粗さ（Ｒａ）が１．５マイクロメートル未満であることを特徴とする滑らかな平面を有することを特徴とする支持体。
【手続補正２】
【補正対象書類名】明細書
【補正対象項目名】００６９
【補正方法】変更
【補正の内容】
【００６９】
磁力を拡散させるために存在するブロック６４を有することの重要性は、ブロックをなくして磁石６６をプレート６０の下側に直接接触するように位置決めする他は、この実施例を再現することによって示される。得られる像はそれほど鮮明ではなく、ベークした被覆（プライマー／中間被覆／上部被覆）の表面はより粗く、すなわちパターン領域で１．７５マイクロメートルから２．５マイクロメートルであり、被覆のレリース特性を損なう。
以下に、本発明の好ましい態様を示す。
１．  ベークされたフルオロポリマーレリース被覆をその上に有する支持体であって、前記被覆が磁化可能な薄片を含有し、前記薄片の一部が前記支持体の平面内で配向し、前記薄片の一部が磁気的に再配向して前記被覆内に反射光で観察可能なパターンを形成し、前記薄片が前記被覆の厚さよりも長い最長寸法を有することを特徴とする支持体。
２．  前記支持体が滑らかな表面を有することを特徴とする１．に記載の支持体。
３．  前記被覆が、前記支持体上のプライマ層を通して前記支持体に付着されることを特徴とする２．に記載の支持体。
４．  前記被覆が中間被覆層および上部被覆層を含み、前記薄片が前記中間被覆層を介して前記被覆に供給されることを特徴とする１．に記載の支持体。
５．  前記被覆が５マイクロメートルから４０マイクロメートルの厚さであり、前記薄片の最長寸法が少なくとも４４マイクロイメートルであることを特徴とする１．に記載の支持体。
６．  前記薄片が、４４マイクロメートル未満の最長寸法を有する薄片を含むことを特徴とする５．に記載の支持体。
７．  アルミニウム、ガラス、セラミック、または磁化できないステンレス鋼であることを特徴とする１．に記載の支持体。
８．  前記被覆が、前記被覆の厚さよりも短い最長寸法を有する磁化可能な薄片も含有し、前記被覆の厚さよりも長い最長寸法を有する前記薄片が、前記薄片のすべての少なくとも４０重量％を構成することを特徴とする１．に記載の支持体。
９．  磁化できない支持体上に、パターン形成されたレリース被覆を形成する方法であって、
（ａ）磁化可能な薄片をフルオロポリマーの液体分散液に混ぜた混合物を、前記支持体上に塗布して、その上に被覆を形成する工程、
（ｂ）前記支持体から間隔をおいた位置に拡散磁界を作り出す工程、
（ｃ）前記拡散磁界からの磁力を、磁化可能なダイのパターンを通して依然として液状の前記被覆に伝えて、前記ダイのパターンに対応する前記被覆内に前記薄片のパターンを形成する工程、および
（ｄ）前記被覆をベーキングして、そこに薄片の前記パターンを付ける工程
を含むことを特徴とする方法。
１０．  前記磁力が、前記ダイのパターンを形成するシートエッジおよび／またはピンから伝えられることを特徴とする９．に記載の方法。
１１．  前記シートエッジを有する前記ダイがクッキーカッタに似ており、前記被覆内の前記薄片のパターンが線パターンであることを特徴とする１０．に記載の方法。
１２．  前記ダイが複数のピンを含み、前記パターンが前記ピンに対応する複数の点を含むことを特徴とする１１．に記載の方法。
１３．  工程（ａ）および（ｃ）が同時に実施されることを特徴とする９．に記載の方法。
１４．  ベークされたフルオロポリマーレリース被覆をその上に有する支持体であって、前記被覆が磁化可能な薄片を含有し、前記薄片の一部が前記支持体の平面内で配向し、前記薄片の一部が磁気的に再配向して、反射光で観察可能なパターンを前記被覆内に形成し、前記被覆が、平均表面粗さ（Ｒａ）が１．５マイクロメートル未満であることを特徴とする滑らかな平面を有することを特徴とする支持体。
１５．  前記支持体が、平均表面粗さ（Ｒａ）が１．５マイクロメートル未満であることを特徴とする滑らかな表面を有することを特徴とする１４．に記載の支持体。
【手続補正書】
【提出日】平成17年8月30日(2005.8.30)
【手続補正１】
【補正対象書類名】明細書
【補正対象項目名】特許請求の範囲
【補正方法】変更
【補正の内容】
【特許請求の範囲】
【請求項１】  ＡＰＲＩＬとそのレセプターとの間のシグナル伝達経路に関与する免疫応答を処置、抑制、活性化、または改変するための医薬品の調製のための、および癌の進行を処置、抑制、または改変するための医薬品の調製のための、該ＡＰＲＩＬとそのレセプターとの間の会合を妨げ得るブロッキング剤の使用。
【請求項２】  前記免疫応答がヒト癌細胞を含む、請求項１に記載の使用。
【請求項３】  前記ブロッキング剤が、ＡＰＲＩＬの改変型阻害形態、または抗ＡＰＲＩＬ抗体もしくは生物学的に活性なそのフラグメントである、請求項１に記載の使用。
【請求項４】  前記ブロッキング剤が、抗ＡＰＲＩＬレセプター抗体である、請求項３に記載の使用。
【請求項５】  前記ブロッキング剤が、少なくとも１つの化学療法剤と組み合わせて患者に投与される、請求項１に記載の使用。
【請求項６】  前記患者に放射線治療を施す工程をさらに包含する、請求項４に記載の使用。
【手続補正書】
【提出日】平成17年9月8日(2005.9.8)
【手続補正１】
【補正対象書類名】明細書
【補正対象項目名】特許請求の範囲
【補正方法】変更
【補正の内容】
【特許請求の範囲】
【請求項１】  双極性電気外科用エネルギで組織をシールするために外科医が使用する双極式器具であって、
外科医により保持される近位端と、遠位端とを各々が有する２つの細長い部材であって、略平面を構成し、高周波電気外科用エネルギを伝送することができるように少なくとも幾分かの導電性を有する材料で作られている細長い部材と、
前記２つの細長い部材相互間で鋏のような動作を行わせるように前記２つの細長い部材を互いに連結するピボットであって、遠位端から離れて配置され遠位端の横方向運動を可能にするピボットと、
一方の細長い部材と一体であってその遠位端に設けられた第１の組織接触極であって、高周波電気外科用エネルギを伝送するために導電性である第１の組織接触極と、
他方の細長い部材の遠位端に配置された絶縁オーバーシューであって、該絶縁オーバーシューと細長い部材と他方の遠位端との間の長手方向又は横方向運動を防止するよう遠位端の周りに滑り嵌め関係をなして他方の細長い部材に取り付けられている絶縁オーバーシューと、
前記絶縁オーバーシューに取り付けられた第２の組織接触極であって、第１の組織接触極と鏡像関係で配置された第２の組織接触極と、
前記ピボットの近位端側に配置され且つ双極性電気外科用エネルギを受け入れるように構成された状態で２つの電気端子と、
一方の電気端子と前記第１の組織接触極との間の第１の導体と、
双極性電気外科用エネルギを前記第１の組織接触極から前記第２の組織接触極に伝える回路を構成するために他方の電気端子と第２の組織接触極を電気的に互いに接続する第２の導体と、
を備えていることを特徴とする双極式器具。
【請求項２】  協働的に相互係合するよう各細長い部材から延びるラッチ要素が近位端の近くに設けられ、
前記ラッチ要素は、第１の組織接触極と第２の組織接触極をこれらの間に働く第１の力又は第２の力で保持するよう滑り係合する少なくとも対向した第１及び第２の傾斜部及び停止部を有する、
請求項１に記載の双極式器具。
【請求項３】  双極式器具は、遠位端相互間で鋏のような動作を行わせるためのピボットを備えた改良型止血鉗子であり、
前記改良型止血鉗子は、前記平面に対して横方向に且つ前記ピボットに対して間隔をおいた状態でこれと略平行に湾曲して延びる遠位端を備えている、
請求項１に記載の双極式器具。
【請求項４】  前記第１の組織接触極と第２の組織接触極との間の双極性電気外科用エネルギの制御された選択的な伝送を可能にするために他方の端子と第２の組織接触極との間における第２の導体の導通を遮断するスイッチが設けられ、
該スイッチは、外科医が電気外科用エネルギの流れを制御できる位置でピボットに配置され、端子の近くに設けられたピンが、電気外科用エネルギが必要であることを表す信号を出すようスイッチに接続されている、
請求項３に記載の双極式器具。
【請求項５】  他方の細長い部材の遠位端は、絶縁オーバーシューを受け入れるために横断面が小さくなっている、
請求項１に記載の双極式器具。
【請求項６】  前記絶縁オーバーシューが、トンネルのように絶縁オーバーシュー内へ延びている開口部を備え、前記絶縁オーバーシューと細長い部材の前記他方の遠位端との間の長手方向又は横方向の運動を防止するよう、前記他方の遠位端の減少横断面と滑り嵌め関係をなしている、
請求項５に記載の双極式器具。
【請求項７】  前記絶縁オーバーシューは、前記他方の細長い部材の周りに係合するクリップを有している、
請求項１に記載の双極式器具。
【請求項８】  前記双極式器具は、前記遠位端相互間で鋏のような動作を行わせる、近位端と遠位端との間に設けられたピボットを備えている改良型止血鉗子である、
請求項１に記載の双極式器具。
【請求項９】  前記双極性電気外科用エネルギ源が、双極性電気外科用エネルギを電気端子にそれぞれ供給するために別個に電気端子に接続されている、
請求項１に記載の双極式器具。
【請求項１０】  双極性電気外科用エネルギで組織をシールするために外科医が使用する双極式器具を組み立てる方法であって、
前記双極式器具は、各々が外科医により保持される近位端及び遠位端を有する２つの細長い部材を有し、前記細長い部材は略平面を構成し、前記細長い部材は高周波電気外科用エネルギを伝送できるよう導電性であり、２つの細長い部材相互間で鋏のような動作を行わせるように２つの細長い部材を互いに連結するピボットが設けられ、前記ピボットは前記平面を横切り、前記ピボットは、遠位端の横方向運動を可能にするように遠位端から離れて配置されており、一方の細長い部材と一体であってその遠位端に設けられた第１の組織接触極が設けられ、前記第１の組織接触極は、高周波電気外科用エネルギを伝送するために導電性であり、他方の細長い部材の遠位端に配置された絶縁オーバーシューが設けられ、絶縁オーバーシューに取り付けられた第２の組織接触極が設けられ、該第２の組織接触極は、第１の組織接触極に対して鏡像関係をなして配置され、前記ピボットに近接して位置すると共に双極性電気外科用エネルギを受け入れるように構成された２つの電気端子が設けられ、一方の電気端子と第１の組織接触極との間に第１の導体が設けられ、双極性電気外科用エネルギを第１の組織接触極と第２の組織接触極の間で伝えることができるようにする他方の電気端子と第２の組織接触極の間の第２の導体が設けられており、前記方法は、
絶縁オーバーシューを遠位端で前記他方の細長い部材上に滑らせる段階と、
絶縁オーバーシューを前記他方の細長い部材に取り付けて、絶縁オーバーシューと細長い部材の他方の遠位端との間の長手方向又は横方向の運動を防止する段階と、
を有することを特徴とする方法。
【請求項１１】  双極性電気外科用エネルギで組織をシールするために外科医が使用する双極式器具であって、
各々が外科医により保持される近位端と、遠位端とを有する２つの細長い部材が設けられ、前記細長い部材は略平面を構成し、前記細長い部材は、高周波電気外科用エネルギを伝送するために導電性であり、
遠位端相互間で鋏のような動作を行わせるように２つの細長い部材を互いに連結するピボットが設けられ、前記遠位端は、前記平面に対して横方向に且つ前記ピボットに対して間隔をおいた状態で且つこれと略平行に湾曲して延び、
前記ピボットは、前記平面に対して横方向であり且つ遠位端の横方向運動を可能にするように遠位端から離れて配置されている、
ことを特徴とする双極式器具。
【手続補正書】
【提出日】平成17年9月7日(2005.9.7)
【手続補正１】
【補正対象書類名】明細書
【補正対象項目名】特許請求の範囲
【補正方法】変更
【補正の内容】
【特許請求の範囲】
【請求項１】  物質をアッセイするための方法であって、
該物質と触媒試薬とを結合するために、該触媒試薬を含有するアッセイ試薬を該物質に接触させるステップと、該接触ステップにより得られた結合物質に標識前駆体を接触させるステップと、標識を検出するステップとを含むこと、
該標識前駆体が触媒作用により該触媒試薬と反応して標識を放出可能であること、及び
該標識が質量標識であること
を特徴とする、該方法。
【請求項２】  触媒試薬が、特異的な化学結合または特異的な分子環境にある結合を切断することができる、請求項１に記載の方法。
【請求項３】  結合物質に標識前駆体を接触させる前に、結合物質を未結合アッセイ試薬から分離する、請求項１または請求項２に記載の方法。
【請求項４】  標識前駆体がリンカーを介して担体部分に結合された標識を含むこと、標識はリンカーに特異的であること、及び、リンカーは特異的な触媒試薬によって切断されて標識を放出可能であることを特徴とする、請求項１〜３のいずれかに記載の方法。
【請求項５】  担体部分によって標識前駆体が固体相に捕獲され得るように担体部分が選択される、請求項４に記載の方法。
【請求項６】  担体部分が、アビジンが結合された固体相に標識前駆体を結合するためのビオチンを含む、請求項５に記載の方法。
【請求項７】  アッセイ試薬が、特異的な物質に結合することができる認識部分を含む、請求項１〜６のいずれかに記載の方法。
【請求項８】  認識部分が抗体、オリゴヌクレオチド、タンパク質、ペプチド、酵素、ＲＮＡアプタマーおよび／またはデキストランを含む、請求項７に記載の方法。
【請求項９】  触媒試薬が有機触媒、タンパク質酵素および／または触媒作用を有するＲＮＡ分子を含む、請求項１〜８のいずれかに記載の方法。
【請求項１０】  触媒試薬が、リゾチーム、トリプシン、キモトリプシン、エラスターゼ、アルカリ性ホスファターゼまたはペルオキシダーゼなどの加水分解酵素を含む、請求項９に記載の方法。
【請求項１１】  触媒試薬がエンドヌクレアーゼを含み、標識前駆体が、エンドヌクレアーゼによって触媒作用により切断されて標識を放出することができるオリゴヌクレオチドリンカーを含む、請求項１〜１０のいずれかに記載の方法。
【請求項１２】  複数の物質を含む混合物をアッセイするための請求項１〜１１のいずれかに記載の方法であって、
混合物に、混合物中の各物質をその物質に特異的な触媒試薬に結合するための一連の触媒試薬群を含むアッセイ試薬を接触させるステップと、該接触ステップにより得られた結合物質に一連の標識前駆体群を接触させるステップと、複数の標識を検出するステップとを含むこと、
該一連の触媒試薬群中の各触媒試薬が混合物中の１つの物質に特異的であること、
各標識前駆体がその前駆体に特異的な触媒作用により触媒試薬と反応して標識を放出することができること、及び
各標識がその前駆体に特異的で、且つ質量標識であること
を特徴とする、該方法。
【請求項１３】  各標識前駆体がリンカーを介して担体部分に結合された標識を含むこと、及び、各標識前駆体の担体部分は、一連の標識前駆体の質量標識の各々とは異なる質量を有するように選択されることを特徴とする、請求項１２に記載の方法。
【請求項１４】  請求項１〜１３のいずれかに規定される方法によって１つ以上のｍＲＮＡを検出するステップを含む遺伝子プロファイリングのための方法。
【請求項１５】  キットが触媒試薬を含むアッセイ試薬と、触媒作用により触媒試薬と反応して標識を放出することができる標識前駆体とを含み、標識が質量標識である、物質をアッセイするためのキット。
【請求項１６】  一連の触媒試薬群と一連の標識前駆体群とを含むアッセイ試薬を含む、物質の混合物をアッセイするための請求項１５に記載のキットであって、
一連の触媒試薬群中の各触媒試薬が混合物中の１つの物質に特異的であること、
各標識前駆体がその前駆体に特異的な触媒作用により触媒試薬と反応して標識を放出することができること、及び
各標識がその前駆体に特異的で、且つ質量標識であること
を特徴とする、該キット。
【請求項１７】  触媒試薬が特異的な化学結合または特異的な分子環境にある結合を切断することができる、請求項１５または請求項１６に記載のキット。
【請求項１８】  標識前駆体がリンカーを介して担体部分に結合される標識を含むこと、及び、標識がリンカーに特異的であり、リンカーは特異的な触媒試薬によって切断されて標識を放出することができることを特徴とする、請求項１５〜１７のいずれかに記載のキット。
【請求項１９】  担体部分によって、標識前駆体が固体相に捕獲され得るように担体部分が選択される、請求項１８に記載のキット。
【請求項２０】  担体部分が、標識前駆体をアビジンが結合された固体相に結合するためのビオチンを含む、請求項１９に記載のキット。
【請求項２１】  アッセイ試薬が、特異的な物質と結合可能な認識部分を含む、請求項１５〜２０のいずれかに記載のキット。
【請求項２２】  アッセイ試薬が抗体、オリゴヌクレオチド、タンパク質、ペプチド、酵素、ＲＮＡアプタマーおよび／またはデキストランを含む、請求項１５〜２１のいずれかに記載のキット。
【請求項２３】  触媒試薬が有機触媒、タンパク質酵素および／または触媒作用を有するＲＮＡ分子を含む、請求項１５〜２２のいずれかに記載のキット。
【請求項２４】  触媒試薬が、リゾチーム、トリプシン、キモトリプシン、エラスターゼ、アルカリ性ホスファターゼまたはペルオキシダーゼなどの加水分解酵素を含む、請求項２３に記載のキット。
【請求項２５】  触媒試薬がエンドヌクレアーゼを含み、標識前駆体が、エンドヌクレアーゼによって触媒作用により切断されて標識を放出することができるオリゴヌクレオチドリンカーを含む、請求項１５〜２４のいずれかに記載のキット。
【請求項２６】  各標識前駆体がリンカーを介して担体部分に結合された標識を含み、各標識前駆体の担体部分は、一連の標識前駆体群の質量標識の各々とは異なる質量を有するように選択される、請求項１６〜２５のいずれかに記載のキット。
【手続補正書】
【提出日】平成17年9月5日(2005.9.5)
【手続補正１】
【補正対象書類名】明細書
【補正対象項目名】特許請求の範囲
【補正方法】変更
【補正の内容】
【特許請求の範囲】
【請求項１】  腹腔鏡検査による脊椎手術において使用する腹腔鏡外科手術レトラクタ組立体であって、
近位端部及び遠位端部を有し、そこを抜ける細長い開口を形成した細長いスリーブ部材であって、前記遠位端部は、近接した対向脊椎の脊間板の隙間に少なくとも部分的に挿入させて隣接の脊椎を引き離し、前記遠位端部は第１及び第２支持面を有する２つの離間したリトラクタムを有し、各リトラクタムは対向して隣接する脊椎を挿入時に引き離すに十分なように第１及び第２支持面の間の容積を形成し、及び
前記スリーブ部材の細長い開口内に導入された手術器具をシールするために細長いスリーブ部材の遠位端部に取り付けられたバルブ組立体を有することを特徴とする腹腔鏡外科手術用レトラクタ組立体。